(57)【要約】【課題】弾性体巻き取り回数計測手段の計数値と現実に動力蓄積用弾性体を巻き取った回数との不一致が生じた場合に、それを解消する。【解決手段】弾性体巻き取り回数計測手段をリセットする計測リセット手段７０を設けるとともに、出力輪５の回転を阻止するロック機構１０を手動で解除する手動解除レバー９０を設ける。計測リセット手段７０は、リコイルリール１が始動ロープ３４を巻き戻す巻き戻し回転に連動して弾性体巻き取り回数計測手段をリセットするように構成する。手動解除レバー９０は解除位置と非解除位置Ｄとに手動で切換可能に構成して、手動解除レバー９０が解除位置にあるときには、ロック機構１０を解除するように構成し、手動解除レバー９０が非解除位置Ｄにあるときには、ロック機構１０の動作と干渉しないように構成する。【選択図】　図３
2004116501.tif 000002
【特許請求の範囲】
【請求項１】
リコイルリール（１）に始動ロープ（３４）を巻回し、
このリコイルリール（１）に、入力側一方向回転伝動手段（２）・入力輪（３）・動力蓄積用弾性体（４）・出力輪（５）・出力側一方向回転伝動手段（６）を順に介して、エンジンの始動軸（７）を連動連結し、
上記入力輪（３）の逆転を防止する逆回転防止手段（８）と、
上記出力輪（５）の回転を阻止するロック機構（１０）と、
上記動力蓄積用弾性体（４）の巻き取り回数を計測する弾性体巻き取り回数計測手段（１１）と、
上記動力蓄積用弾性体（４）の巻き取り回数が目標巻き取り回数に達したときに上記ロック機構（１０）を解除するロック解除手段（１２）と、
を設けたエンジンのリコイルスタータにおいて、
上記弾性体巻き取り回数計測手段（１１）をリセットする計測リセット手段（７０）を設けるとともに、前記ロック機構（１０）を手動で解除する手動解除レバー（９０）を設けた、
ことを特徴とするエンジンのリコイルスタータ。
【請求項２】
請求項１に記載のエンジンのリコイルスタータにおいて、
前記計測リセット手段（７０）は、リコイルリール（１）が始動ロープ（３４）を巻き戻す巻き戻し回転に連動して前記弾性体巻き取り回数計測手段（１１）をリセットするように構成した、
ことを特徴とするエンジンのリコイルスタータ。
【請求項３】
請求項１または２に記載のエンジンのリコイルスタータにおいて、
前記手動解除レバー（９０）とロック機構（１０）とを別体に構成するとともに、この手動解除レバー（９０）を少なくとも解除位置（Ｒ）と非解除位置（Ｄ）とに手動で切換可能に構成して、上記手動解除レバー（９０）が解除位置（Ｒ）にあるときには、前記ロック機構（１０）を解除するように構成し、上記手動解除レバー（９０）が非解除位置（Ｄ）にあるときには、上記ロック機構（１０）の動作と干渉しないように構成した、
ことを特徴とするエンジンのリコイルスタータ。
【請求項４】
請求項３に記載のエンジンのリコイルスタータにおいて、
前記手動解除レバー（９０）をばね（９３）によって非解除位置（Ｄ）に付勢した、
ことを特徴とするエンジンのリコイルスタータ。
【請求項５】
請求項３または４に記載のエンジンのリコイルスタータをスタータケース（３３）に収納し、
このスタータケース（３３）をエンジン機体（３０）に着脱自在に構成し、
前記手動解除レバー（９０）が少なくとも非解除位置（Ｄ）にあるときには、上記スタータケース（３３）をエンジン機体（３０）から取り外せないようにした、
ことを特徴とするエンジンのリコイルスタータ。
【請求項６】
請求項５に記載のエンジンのリコイルスタータにおいて
前記手動解除レバー（９０）を解除位置（Ｒ）に切り換えたときに、前記スタータケース（３３）をエンジン機体（３０）から取り外せるようにした、
ことを特徴とするエンジンのリコイルスタータ。
【請求項７】
請求項５または６に記載のエンジンのリコイルスタータにおいて
前記手動解除レバー（９０）をスタータケース（３３）側に付設するとともに、前記エンジン機体（３０）側に取り外し規制部（９４）を設け、上記スタータケース（３３）をエンジン機体（３０）に取り付けた状態で上記手動解除レバー（９０）が非解除位置（Ｄ）にあるときには、上記取り外し規制部（９４）が手動解除レバー（９０）の離脱を規制することにより上記スタータケース（３３）がエンジン機体（３０）から取り外せないようにした、
ことを特徴とするエンジンのリコイルスタータ。
【発明の詳細な説明】
【０００１】
【発明の属する技術分野】
本発明はエンジンのリコイルスタータに関する。
【０００２】
【従来の技術】
従来、エンジンのリコイルスタータとして、特許文献１に記載されたものがある。これは次のように構成されている。
始動ロープが巻回されたリコイルリールに、入力側一方向回転伝動手段・入力輪・動力蓄積用うず巻きばね・出力輪・出力側一方向回転伝動手段を順に介して、エンジンのクランク軸を連動連結する。
上記入力輪は、固定部に枢支されるとともに、逆回転防止手段によりその逆転が防止されるように構成する。
そして、このリコイルスタータには、上記出力輪の回転を阻止するロック機構と、動力蓄積用うず巻きばねの巻き取り回数を計測するばね巻き取り回数計測手段と、動力蓄積用うず巻きばねの巻き取り回数が目標巻き取り回数に達したときに、上記ロック機構を解除するロック解除手段とが設けられている。
【０００３】
この特許文献１に記載の従来技術においては、動力蓄積用うず巻きばねの蓄力を解放するためにレバーの切換等の特段の手動操作を要さず、動力蓄積用うず巻きばねの巻き取り回数が目標巻き取り回数に達したときに自動的に蓄力が解放されるようになっているため、ユーザーの利便性が向上する等の利点がある。
【０００４】
【特許文献１】
実公平７−１７８１０号公報
【０００５】
【発明が解決しようとする課題】
しかし、この特許文献１に記載の従来技術では、ばね巻き取り回数計測手段が目標巻き取り回数相当位置に達しなければロック機構が解除されないため、次のような問題が生じる。
【０００６】
すなわち、動作不良等により、ばね巻き取り回数計測手段が計測した動力蓄積用うず巻きばねの巻き取り回数の計数値と、現実に動力蓄積用うず巻きばねを巻き取った回数とがずれた場合、上記従来技術では、かかる不一致を簡便に矯正する手立てがない。
【０００７】
かかる不一致のうち、ばね巻き取り回数計測手段の計数値が現実に動力蓄積用うず巻きばねを巻き取った回数よりも少ない値を示している場合には、上述のように、ロック機構を解除するためにはばね巻き取り回数計測手段が目標巻き取り回数相当位置に達するまで上記うず巻きばねを巻き取らねばならないため、うず巻きばねが限界まで巻き取られることがある。動力蓄積用うず巻きばねが限界まで巻き取られた場合、始動ロープの引き操作はそれ以上不可能になり、無理に操作すると故障や破損等の事故を招く。
【０００８】
一方、ばね巻き取り回数計測手段の計数値が現実に動力蓄積用うず巻きばねを巻き取った回数よりも多い値を示している場合には、ばね巻き取り回数計測手段の計数値が目標巻き取り回数に達したとしても、現実にはそれに相当する蓄力がなされていないため、蓄力不足によりエンジンの始動に失敗するおそれがある。
【０００９】
【課題を解決するための手段】
本発明は、かかる課題を解決することを目的として、次のように構成される。
請求項１の発明は、
リコイルリール（１）に始動ロープ（３４）を巻回し、
このリコイルリール（１）に、入力側一方向回転伝動手段（２）・入力輪（３）・動力蓄積用弾性体（４）・出力輪（５）・出力側一方向回転伝動手段（６）を順に介して、エンジンの始動軸（７）を連動連結し、
上記入力輪（３）の逆転を防止する逆回転防止手段（８）と、
上記出力輪（５）の回転を阻止するロック機構（１０）と、
上記動力蓄積用弾性体（４）の巻き取り回数を計測する弾性体巻き取り回数計測手段（１１）と、
上記動力蓄積用弾性体（４）の巻き取り回数が目標巻き取り回数に達したときに上記ロック機構（１０）を解除するロック解除手段（１２）と、
を設けたエンジンのリコイルスタータにおいて、
上記弾性体巻き取り回数計測手段（１１）をリセットする計測リセット手段（７０）を設けるとともに、前記ロック機構（１０）を手動で解除する手動解除レバー（９０）を設けた、ことを特徴とする。
【００１０】
上記請求項１の発明では、動力蓄積用弾性体（４）の巻き取り回数が目標巻き取り回数に達したときに自動的にロック機構（１０）を解除するロック解除手段（１２）とは別に、手動でロック機構（１０）を解除する手動解除レバー（９０）を設けたので、動力蓄積用弾性体（４）の巻き取り回数が目標巻き取り回数に達したとき以外でも手動でロック機構（１０）を解除することができる。このため、例えば、弾性体巻き取り回数計測手段（１１）による動力蓄積用弾性体（４）の巻き取り回数の計数値が、現実に動力蓄積用弾性体（４）を巻き取った回数よりも少ない値を示しているために動力蓄積用弾性体（４）を限界近くまで巻き取ったとしても、手動解除レバー（９０）によりロック機構（１０）を手動で解除すれば、動力蓄積用弾性体（４）の蓄力が解放され、始動ロープ（３４）をそれ以上引けなくなるといった事態を回避することができる。また、この請求項１の発明には、弾性体巻き取り回数計測手段（１１）をリセットする計測リセット手段（７０）が設けられているので、この計測リセット手段（７０）により弾性体巻き取り回数計測手段（１１）の計数値をリセットすれば、上記弾性体巻き取り回数計測手段（１１）を初期状態に戻すことができる。このようにして、弾性体巻き取り回数計測手段（１１）の目盛（計数値）と現実に動力蓄積用弾性体（４）を巻き取った回数とを一致させることができる。
【００１１】
請求項２の発明は、次のように構成したことを特徴とする。
すなわち、上記請求項１の発明において、前記計測リセット手段（７０）は、リコイルリール（１）が始動ロープ（３４）を巻き戻す巻き戻し回転に連動して前記弾性体巻き取り回数計測手段（１１）をリセットするように構成したことを特徴とする。
【００１２】
上記請求項２の発明では、リコイルリール（１）が始動ロープ（３４）を巻き戻す巻き戻し回転に連動して前記弾性体巻き取り回数計測手段（１１）がリセットされるので、弾性体巻き取り回数計測手段（１１）をリセットするために始動ロープ（３４）の巻き戻し以外の特段の操作が不要になり、ユーザーの利便性が向上する。
【００１３】
請求項３の発明は、上記請求項１または２の発明において、次のように構成したことを特徴とする。
すなわち、前記手動解除レバー（９０）とロック機構（１０）とを別体に構成するとともに、この手動解除レバー（９０）を少なくとも解除位置（Ｒ）と非解除位置（Ｄ）とに手動で切換可能に構成して、上記手動解除レバー（９０）が解除位置（Ｒ）にあるときには、前記ロック機構（１０）を解除するように構成し、上記手動解除レバー（９０）が非解除位置（Ｄ）にあるときには、上記ロック機構（１０）の動作と干渉しないように構成したことを特徴とする。
【００１４】
この請求項３の発明では、手動解除レバー（９０）とロック機構（１０）とを別体に構成するとともに、手動解除レバー（９０）が非解除位置（Ｄ）にあるときにはロック機構（１０）の動作と干渉しないようにしたので、通常の始動操作時には手動解除レバー（９０）を非解除位置（Ｄ）にしておけば、ロック機構（１０）から手動解除レバー（９０）への動力伝達を遮断することができ、ロック機構（１０）の動作に連動して手動解除レバー（９０）が動くことを防止することができる。
【００１５】
請求項４の発明は、上記請求項３の発明において、前記手動解除レバー（９０）をばね（９３）によって非解除位置（Ｄ）に付勢したことを特徴とする。
【００１６】
請求項４の発明では、手動解除レバー（９０）をばね（９３）によって非解除位置（Ｄ）に付勢したので、手動解除レバー（９０）が不用意に解除位置（Ｒ）に切り換えられて出力輪（５）のロックが解除される事態を避けることができる。
【００１７】
請求項５の発明は、次のように構成したことを特徴とする。
すなわち、上記請求項３または４に記載のリコイルスタータをスタータケース（３３）に収納し、
このスタータケース（３３）をエンジン機体（３０）に着脱自在に構成し、
前記手動解除レバー（９０）が少なくとも非解除位置（Ｄ）にあるときには、上記スタータケース（３３）をエンジン機体（３０）から取り外せないようにした、ことを特徴とする。
【００１８】
動力蓄積用弾性体（４）にすでに蓄力がなされた状態のままでスタータケース（３３）をエンジン機体（３０）から取り外した場合、何かのはずみでロック機構（１０）が解除されれば出力輪５が急回転するため、その取扱いには注意を要する。
しかし、請求項５の発明のように構成すれば、手動解除レバー（９０）が非解除位置（Ｄ）にあるときには、上記スタータケース（３３）をエンジン機体（３０）から取り外せないので、動力蓄積用弾性体（４）に蓄力がなされた状態のままではスタータケース（３３）をエンジン機体（３０）から取り外せないことになる。したがって、メンテナンス時等における安全を確保できる。
【００１９】
上記請求項５の発明は、請求項６に記載したように、手動解除レバー（９０）を解除位置（Ｒ）に切り換えたときに、前記スタータケース（３３）をエンジン機体（３０）から取り外せるようにすることが好ましい。
さらに、請求項７に記載したように、前記手動解除レバー（９０）をスタータケース（３３）側に付設するとともに、前記エンジン機体（３０）側に取り外し規制部（９４）を設け、上記スタータケース（３３）をエンジン機体（３０）に取り付けた状態で上記手動解除レバー（９０）が非解除位置（Ｄ）にあるときには、上記取り外し規制部（９４）が手動解除レバー（９０）の離脱を規制することにより上記スタータケース（３３）がエンジン機体（３０）から取り外せないようにすることが好ましい。
【００２０】
【発明の実施の形態】
以下、図面に基づいて、本発明の実施形態について説明する。図１は本発明の実施形態の縦断正面図、図２（Ａ）は図１のＩＩ−ＩＩ線矢視断面図、図２（Ｂ）は図２（Ａ）におけるＢ−Ｂ線矢視断面図、図３は図１のＩＩＩ−ＩＩＩ線矢視断面図であり、ばね巻き取り回数計測手段が初期位置にある状態を示す。図４は図３からロック手段２１を取り除いた図、図５は図４から第２のラチェット爪５２を取り除いた図である。図６は図３の状態から始動ロープ３４を引いて計測用爪車１５を爪一つ分刻み送りした状態を示す図、図７は手動解除レバー９０が解除位置Ｒにあるときの状態を示す図、図８は図３におけるＶＩＩＩ−ＶＩＩＩ線矢視断面図、図９は図３におけるＩＸ−ＩＸ線矢視断面図、図１０は図３におけるＸ−Ｘ線矢視拡大図、図１１はスタータケース３３をステー３６（エンジン機体）から取り外す際の手動解除レバー９０の動きを説明するための図、図１２（Ａ）は入力輪３の正面図、図１２（Ｂ）は図１２（Ａ）におけるＢ−Ｂ線矢視断面図、図１３（Ａ）は、ばね巻き取り回数計測手段１１をエンジン側から見た図（但し、ロック手段２１と第１のラチェット爪５１は省略してある）、図１３（Ｂ）は図１３（Ａ）の要部を示し、送り爪１４の動きを示す図である。なお、本明細書では、図１の紙面に向かって右方を前方、左方を後方と定める。
【００２１】
図１において、符号７は強制空冷式４サイクルガソリンエンジンのクランク軸、符号３１はフライホイルファンである。フライホイルファン３１は、エンジン機体の一部を構成するファンケース３０に収納されている。
【００２２】
このクランク軸７の一端にスタータプーリ３２が設けられる。このスタータプーリ３２はクランク軸７に固定され、クランク軸７と一体に回転する。
【００２３】
本発明の実施形態たるリコイルスタータは、上記クランク軸７の一端側に設けられるスタータケース３３を有する。このスタータケース３３は、ファンケース３０に固定された環状のステー３６にボルト３７によって着脱自在に組み付けられる。このスタータケース３３の内部に、上記クランク軸７と同軸上に配置される固定部９を有する。
【００２４】
この固定部９に、前方から順に、リコイルリール１と入力輪３と出力輪５とがそれぞれ回転自在に外嵌される。このうち、リコイルリール１には始動ロープ３４が巻回される。そして、リコイルリール１とスタータケース３３との間にはリール巻き戻し用うず巻きばね３５が設けられ、始動ロープ３４を引っ張ったときに、このリール巻き戻し用うず巻きばね３５の復元力により始動ロープ３４がリコイルリール１に巻き戻されるように構成されている。なお、本明細書では、図２に示すように、始動ロープ３４の引き操作によりリコイルリール１が回転する方向Ｘをリコイルリール１の正転方向とし、このリコイルリール１の正転が伝達されて入力輪３さらには出力輪５が回転する方向Ｘ（図３参照）をそれぞれ入力輪３または出力輪５の正転方向とする。
【００２５】
リコイルリール１と入力輪３との間には、図２に示すように、入力側一方向回転伝動手段２が介装されている。この入力側一方向回転伝動手段２は、リコイルリール１の後端面（入力輪３側の端面）に設けられた爪３８と、入力輪３の前端面（リコイルリール１側の端面）の周縁に設けられた突合縁３９とを備える。この爪３８は図示しないばねにより外方に向けて付勢され、始動ロープ３４の引き操作時には、この爪３８と突合縁３９とが突合してリコイルリール１の回転は入力輪３に伝達されるが、始動ロープ３４の巻き戻し作動時には、上記の爪３８と突合縁３９との突合が解け、リコイルリール１の回転が入力輪３に伝達されないようになっている。
【００２６】
上記入力輪３は、また、図２に示すように、間欠係合式の逆回転防止手段８により逆転が防止されるようになっている。この間欠係合式逆回転防止手段８は、固定部９側に設けられた逆止用爪車２４と、入力輪３側に設けられた逆止用爪２５とを備える。上記逆止用爪車２４は、固定部９に回転不能に外嵌されるとともに、その中心部から外方に向けて４つの逆止用係合部４１を延出している。各逆止用係合部４１は略９０度の間隔を置いて十字状に配設されている。各逆止用係合部４１は、図２（Ｂ）に示すように、略三角形断面を有し、入力輪３が正転するときに（すなわちＸ方向回転時に）逆止用爪２５を逃すための傾斜をつけた逃し面４１ａと、入力輪３が逆転するときに（すなわちＹ方向回転時に）逆止用爪２５と係合する係合面４１ｂとを備える。逆止用爪車２４は、リコイルリール１の後端面と入力輪３の前端面との間の空間に収容される。一方、逆止用爪２５は、入力輪３の前端面から出没自在に構成され、入力輪３とともに回転するようになっている。本実施形態では、逆止用爪２５は２つ設けられている。各逆止用爪２５は、入力輪３の回転中心を間に挟んで略点対称な位置に配置されている。
【００２７】
このような構成の結果、逆止用爪２５は、入力輪３がＸ方向へ正転しようとするときには、上記の逃し面４１ａによって入力輪３内に退入するため、入力輪３の正転を可能にするが、入力輪３がＹ方向へ逆転しようとするときには、突出状態を保ったまま逆止用係合部４１の係合面４１ｂと係合して入力輪３の逆転を阻止する。但し、各逆止用係合部４１が９０度の間隔を置いて配置されているためと、逆止用爪２５が入力輪３の回転中心に対して略点対称な位置に配置されているために、逆止用爪２５が係合面４１ｂと係合するまでには、入力輪３は最大で約９０度逆転し得る。
【００２８】
この第１実施形態の動力蓄積用弾性体４はうず巻きばねとして構成される。この動力蓄積用うず巻きばね４は、入力輪３と出力輪５の間の空間に収容され、その外端部は入力輪３に固定され、その内端部は出力輪５に固定される。
【００２９】
出力輪５とクランク軸７との間には、出力側一方向回転伝動手段６が介装されている。この出力側一方向回転伝動手段６は、出力輪５の回転をクランク軸７に伝達するもので、図１と図３とに示すように、遠心式クラッチ機構として構成されている。すなわち、前記クランク軸７と一体回転するスタータプーリ３２に、ばね４３で内方に付勢された遠心爪４４が枢支され、一方、出力輪５の後端面に、この遠心爪４４と係合可能な爪受部４５が設けられる。そして、クランク軸７の回転速度が所定速度に達するまでは、遠心爪４４と爪受部４５とは係合状態にあるが、クランク軸７の回転が所定速度以上になったときには、遠心爪４４はクランク軸７の回転による遠心力で外方に揺動し、遠心爪４４と爪受部４５との係合は解除されるようになっている。
【００３０】
本実施形態に係るリコイルスタータには、出力輪５の回転を阻止するロック機構１０が設けられている。このロック機構１０は、出力輪５に設けられたロック部２０と、このロック部２０に係脱自在なロック手段２１とを備える。上記ロック部２０は、出力輪５の後端面に設けられた凹部として構成される。この凹部は、出力輪５の後端面の周縁に等間隔で設けられる。図３から５に示すように、本実施形態では、かかる凹部が４つ設けられており、このうち、出力輪５の回転中心を挟んで点対称の位置にある２つの凹部には、取り付け／取り外し自在な閉塞部材２６がネジ止めされて上記凹部を塞いでいる。このため、ロック部２０として機能するのは、この閉塞部材２６によって塞がれていない２箇所である。このロック部２０として機能する凹部も出力輪５の回転中心を挟んで点対称の位置にある。本実施形態では、閉塞部材２６によって上記凹部を適宜塞ぐことにより、ロック手段２１がロック部２０に係合するまでには、出力輪５が１８０度近く回転（約半回転）できるようになっている。
【００３１】
一方、ロック手段２１は、スタータケース３３に固定された第１の枢支軸４７に揺動自在に枢支される。ロック手段２１は、ロック位置とロック解除位置とに切換可能に構成され、上記ロック手段２１がロック位置にあるときにはロック部２０と係合して出力輪５の回転を阻止するのに対し、上記ロック手段２１がロック解除位置にあるときにはロック部２０を解放して出力輪５の回転を自由にするように構成される。第１の枢支軸４７はスタータケース３３内でその前後方向に架設されている。
【００３２】
上記ロック手段２１は、ロック位置付勢手段４８によってロック位置方向に付勢されている。本実施形態におけるロック位置付勢手段４８は引っ張りばねによって構成され、この引っ張りばね４８は、その一端がスタータケース３３側に係止され、その他端がロック手段２１に係止される。
【００３３】
このロック手段２１は、腕部２１ａを備える。この腕部２１ａは、後述の第２の枢支軸５７に向けて延出され、ロック手段２１がロック位置に切り換えられたときに、第２の枢支軸５７に懸架するようになっている。この腕部２１ａは、第２の枢支軸５７に懸架することによりロック手段２１のロック位置方向への一定以上の揺動を規制する。
【００３４】
このロック手段２１には第１の受動部２２と第２の受動部２３と設けられている。このうち、第１の受動部２２はロック手段２１の腕部２１ａの途中部から下方に向けて垂設されている。一方、第２の受動部２３は、ロック手段２１の先端部に設けられている。ロック手段２１は、この第１の受動部２２または第２の受動部２３において後述のロック解除手段１２と当接し、その駆動を受けるようになっている。
【００３５】
このリコイルスタータは、動力蓄積用うず巻きばね４の巻き取り回数を計測するばね巻き取り回数計測手段１１を備える。このばね巻き取り回数計測手段１１は、入力輪３に設けた送り爪１４と、この送り爪１４によって刻み送りされる計測用爪車１５と、この計測用爪車１５を各計数位置に置き残すラチェット機構４９とを備える。さらに、このラチェット機構４９は、上記計測用爪車１５と一体回転する残置用爪車５０と、この残置用爪車５０に係止する第１のラチェット爪５１および第２のラチェット爪５２を備える。
【００３６】
このうち、入力輪３に設けられる送り爪１４は次のように構成される。すなわち、図１２と図１３とに示すように、この送り爪１４は、入力輪３の外周面に設けられた凹部に収容され、起伏自在に枢支されるとともに、ねじりばね５５によって入力輪３の半径方向外方に向けて付勢される。そして、入力輪３が動力蓄積用うず巻きばね４を蓄力する方向Ｘに回転するとき（すなわち、入力輪３の正転時）には、この送り爪１４は起立して後述の計測用爪車１５を刻み送りするのに対し、入力輪３がその逆方向Ｙに回転するときには、この送り爪１４は計測用爪車１５との当接により倒伏するように構成される。
【００３７】
上記計測用爪車１５と残置用爪車５０は、スタータケース３３に固定された第２の枢支軸５７に回転自在に枢支され、一体に回転するように構成される。この第２の枢支軸５７は、スタータケース３３内でその前後方向に架設され、前記第１の枢支軸４７と略平行になるようにしてある。
【００３８】
本実施形態では、図２に示すように、２つの送り爪１４が入力輪３の外周面に設けられているため、入力輪３の１回転により計測用爪車１５は爪２つ分刻み送りされる。
【００３９】
上記残置用爪車５０には、ロック解除手段１２が設けられている。このロック解除手段１２は、動力蓄積用うず巻きばね４の巻き取り回数が目標巻き取り回数に達したときに前記ロック機構１０を解除し、また、弾性体巻き取り回数計測手段１１が初期位置にあるときにロック機構１０を解除するようになっている。
【００４０】
具体的には、上記ロック解除手段１２は残置用爪車５０（および計測用爪車１５）と一体に回動し、計測用爪車１５が送り爪１４によって刻み送りされて目標巻き取り回数に達したときに、前記ロック手段２１に設けられた第１の受動部２２に当接してこれを駆動し、ロック手段２１をロック位置からロック解除位置に切り換えるようになっている。また、後述する計測リセット手段７０により計測用爪車１５が初期位置に復帰したときには、上記ロック解除手段１２が上記第２の受動部２３を駆動してロック手段２１をロック位置からロック解除位置に切り換えるようになっている。そして、本実施形態では、始動ロープ３４の引き操作により入力輪３が回転し、計測用爪車１５が初期位置から爪一つ分刻み送りされたときに、ロック手段２１がロック部２０に係合し得るようになっている（図６参照）。
【００４１】
なお、本実施形態では、このロック解除手段１２を残置用爪車５０と一体に構成したが、別体として構成してもよい。また、計測用爪車１５にロック解除手段１２を設けてもよい。
【００４２】
第１のラチェット爪５１と第２のラチェット爪５２は、前記第１の枢支軸４７に枢支され、リコイルスタータの前方から第１のラチェット爪５１・第２のラチェット爪５２・ロック手段２１の順に並設されている。このうち、第１のラチェット爪５１は、引っ張りばね６１によって前記残置用爪車５０に係止する方向に付勢されている。この引っ張りばね６１は、一端が第１のラチェット爪５１に係止され、他端がスタータケース３３側に係止されている。
【００４３】
一方、第２のラチェット爪５２は、引っ張りばね６２によって残置用爪車５０に係止する方向に付勢されている。この引っ張りばね６２は、一端が第２のラチェット爪５２に係止され、他端が前記ロック手段２１に係止されている（図３・図４参照）。この第２のラチェット爪５２には、また、入力部５２ａが設けられ、この入力部５２ａは、ロック手段２１に設けられた切り欠き部２１ｃとの係合によりロック手段２１の揺動を第２のラチェット爪５２に伝達するようになっている。すなわち、前記ロック解除手段１２がロック手段２１の第１の受動部２２または第２の受動部２３に当接しこれを押動することによりロック手段２１をロック位置からロック解除位置に切り換えたときに、このロック手段２１の揺動は上記切り欠き部２１ｃと入力部５２ａとの係合を介して第２のラチェット爪５２に伝達され、第２のラチェット爪５２を揺動起立させることにより第２のラチェット爪５２と残置用爪車５０との係止を解除する。また、ロック手段２１がロック解除位置にある場合には、第２のラチェット爪５２も入力部５２ａと切り欠き部２１ｃとの係合を介して残置用爪車５０との係止を解除する係止解除姿勢を維持する。他方、ロック手段２１がロック解除位置からロック位置に切り換えられたときには、第２のラチェット爪５２も入力部５２ａを介してこれに連動し残置用爪車５０に係止するようになっている。
【００４４】
本実施形態のリコイルスタータには、リコイルリール１が始動ロープ３４を巻き戻す方向に回転することに基づいて、弾性体巻き取り回数計測手段１１が計測した動力蓄積用弾性体４の巻き取り回数の計数値をリセットする計測リセット手段７０が設けられている。この計測リセット手段７０は、前記計測用爪車１５を初期位置に付勢する初期位置付勢手段７１と、リコイルリール１に設けられたリセット用主動部７２と、前記第１のラチェット爪５１に設けられたリセット用従動部７３と、を備える。
【００４５】
このうち、初期位置付勢手段７１は、図１と図８とに示すように、第２の枢支軸５７に巻回された第１のねじりばねとして構成され、この第１のねじりばね７１の一端はスタータケース３３側に固定され、その他端は計測用爪車１５に固定される。この初期位置付勢手段７１は、前記第１のラチェット爪５１と第２のラチェット爪５２の両方が残置用爪車５０との係止を解除されたときに、計測用爪車１５を初期位置に回動復帰させる。なお、図３から５に示すように、スタータケース３３に設けられたブラケット７６によって、上記初期位置付勢手段７１による計測用爪車１５の一定以上の回動復帰は規制されており、このブラケット７６と計測用爪車１５とが当接する位置を計測用爪車１５の初期位置と定める（図３から図５参照）。
【００４６】
上記リセット用主動部７２は、リコイルリール１の後端面の周縁に等間隔に突設された凸部として構成される。一方、リセット用従動部７３は、一端が第１のラチェット爪５１に係止された第２のねじりばね７８の他端部として構成され、この他端部は解放端となっている。この第２のねじりばね７８は、前記第１の枢支軸４７に巻回されたうえ、リセット用従動部７３として機能するその解放端を下方に延出して、リコイルリール１の回転時にリセット用主動部７２と当接してその駆動を受けるようになっている。これにより、リコイルリール１の回転がリセット用主動部７２とリセット用従動部７３との当接を通じて第１のラチェット爪５１に伝達される。但し、リコイルリール１の正転時Ｘには、リセット用主動部７２がリセット用従動部７３と当接してこれを駆動しても、この駆動力は第２のねじりばね７８を介して第１のラチェット爪５１を残置用爪車５０に係止させる方向に作用するため、第１のラチェット爪５１と残置用爪車５０との係止は維持されるが、リコイルリール１の逆転時Ｙ（リコイルリール１が始動ロープ３４を巻き戻す巻き戻し回転時）には、リセット用主動部７２がリセット用従動部７３を駆動することにより第１のラチェット爪５１を揺動起立させ、第１のラチェット爪５１と残置用爪車５０との係止が解除されるようになっている。
【００４７】
本実施形態のリコイルスタータには、図３・図６・図７・図８に示すように、前記ロック機構１０を手動で解除する手動解除レバー９０が設けられている。この手動解除レバー９０は、ロック手段２１とは別体に構成され、図９と図１０とに示すように、スタータケース３３の内面に固定（本実施形態ではスポット溶接）されたブラケット９１に挿通された枢支軸９２に揺動自在に枢支される。この手動解除レバー９０の把持部９０ａは、スタータケース３３の窓部３３ａを通してスタータケース３３外に露出するようになっている。
【００４８】
この手動解除レバー９０は、前記ロック手段２１を手動でロック解除位置に切り換えるためのもので、図７に示す解除位置Ｒと、図３または図６に示す非解除位置Ｄとに切換可能に構成され、この手動解除レバー９０が解除位置Ｒにあるときには、上記ロック手段２１を押動してこれをロック解除位置に切り換え、一方、上記手動解除レバー９０が非解除位置Ｄにあるときには、上記ロック手段２１に当接しない位置に離間している。つまり、上記手動解除レバー９０が非解除位置Ｄにあるときには、ロック手段２１の動作と干渉しないようになっている。この手動解除レバー９０は、ねじりばね９３によって非解除位置Ｄに付勢されている。
【００４９】
一方、スタータケース３３が取り付けられるエンジン機体３０側のステー３６には、図１０と図１１とに示すように、切り込み部９４が設けられ、手動解除レバー９０が非解除位置Ｄにあるときにはこの切り込み部９４に進入し、手動解除レバー９０が解除位置Ｒにあるときには切り込み部９４から進出し解放されるようになっている。この切り込み部９４は、スタータケース３３をステー３６に取り付けた状態で手動解除レバー９０が非解除位置Ｄにあるときには、スタータケース３３をステー３６から取り外せないようにするためのものである。本実施形態では、手動解除レバー９０が非解除位置Ｄにあるときには、切り込み部９４に進入して手動解除レバー９０の離脱が規制されるため、たとえボルト３７を外してもスタータケース３３がステー３６から取り外せないようになっており、手動解除レバー９０を解除位置Ｒに切り換えて初めてスタータケース３３を取り外せるようになっている（図１１参照）。本実施形態では、この切り込み部９４が、スタータケース３３の取り外しの際に手動解除レバー９０の離脱を規制する取り外し規制部として機能する。
【００５０】
本実施形態のリコイルスタータは次のように作動する。まず、通常の始動操作について説明する。通常の始動操作の際には、原則として、手動解除レバー９０を使用する必要はない。
いま、エンジンは停止しており、これからエンジンを始動させる場合を想定する（図３から図５参照）。始動ロープ３４はリコイルリール１に巻き取られており、また、計測用爪車１５は初期位置にあるものとする。第１のラチェット爪５１は、引っ張りばね６１の付勢力によって残置用爪車５０に係止している。
【００５１】
このとき、ロック手段２１は、図３に示すように、ロック解除手段１２によって第２の受動部２３を押動されてロック解除位置に保持されている。したがって、出力輪５のロックは解除された状態にあり、動力蓄積用うず巻きばね４には何ら蓄力がなされていない。また、第２のラチェット爪５２は、切り欠き部２１ｃと入力部５２ａとの係合を介して残置用爪車５０との係止を解除する姿勢にある。
【００５２】
ここで、出力側一方向回転伝動手段６の遠心爪４４が爪受部４５に係合していなかったものとする。この場合において、始動ロープ３４を引っ張ると、リコイルリール１が正転方向Ｘへ回転し、このリコイルリール１の回転が入力側一方向回転伝動手段２・入力輪３・動力蓄積用うず巻きばね４を介して出力輪５に伝達され、出力輪５をＸ方向に回転させる。この結果、出力輪５に設けられた爪受部４５も回転し、遠心爪４４と爪受部４５との係合が可能となる。
【００５３】
このように、本実施形態では、たとえ出力側一方向回転伝動手段６の遠心爪４４と爪受部４５とが当初は係合状態になかったとしても、始動ロープ３４の引き操作により両者を係合させることができるので、出力輪５のロックが解除されて動力蓄積用うず巻きばね４の蓄力が解放されたときの両者の衝突を避けることができ、破損や騒音をなくすことができる。
【００５４】
一方、始動ロープ３４の引き操作により計測用爪車１５が爪一つ分刻み送りされると、ロック手段２１がロック位置に切り換えられる（図６参照）。これにより、動力蓄積用うず巻きばね４は蓄力可能な状態になり、その後の始動ロープ３４の引き操作により入力輪３が回転した分だけ上記動力蓄積用うず巻きばね４は巻き取られることになる。
なお、計測用爪車１５が爪一つ分刻み送りされてロック手段２１がロック位置に切り換えられると、これに連動して第２のラチェット爪５２も残置用爪車５０に係止する（図６参照）。
【００５５】
このような入力輪３の回転は、送り爪１４によって計測用爪車１５に伝達され、さらに計測用爪車１５を刻み送りする。そして、動力蓄積用うず巻きばね４の巻き取り回数が目標巻き取り回数に達すると、ロック解除手段１２がロック手段２１の第１の受動部２２を押動し、ロック手段２１をロック位置からロック解除位置に切り換える。これにより出力輪５のロックは解除され、動力蓄積用うず巻きばね４に蓄えられた蓄力が解放されて出力輪５が回転する。
【００５６】
この出力輪５の回転は、出力側一方向回転伝動手段６によってクランク軸７に伝達される。前述のように、すでに遠心爪４４と爪受部４５とは係合状態にあるため、動力蓄積用うず巻きばね４の蓄力解放により両者が衝突したり、あるいは不快な騒音を発したりすることはない。このようにして、出力輪５の回転は爪受部４５と遠心爪４４とを介してスムーズにスタータプーリ３２に伝達されてクランク軸７を回転させ、エンジンを始動させることになる。
【００５７】
このように、本実施形態では、始動ロープ３４の引き操作に連動して上記弾性体巻き取り回数計測手段１１が所定位置に達したときに（爪一つ分送られたときに）、上記ロック機構１０が作動して出力輪５がロックされるようになっている。このため、動力蓄積用弾性体４の目標巻き取り回数到達時における出力輪５のロック解除だけでなくロック投入も自動的に行われユーザーの利便性が向上する。
【００５８】
エンジンが始動してクランク軸７の回転速度が所定速度以上になると、クランク軸７と一体回転するスタータプーリ３２に設けられた遠心爪４４が遠心力により外方に揺動し、爪受部４５との係合が解除される。これによりクランク軸７と出力輪５との連繋は断たれる。
【００５９】
一方、動力蓄積用うず巻きばね４の巻き取り回数が目標巻き取り回数に達してロック手段２１がロック位置からロック解除位置へと切り換えられたときには、これに連動して第２のラチェット爪５２が揺動起立し、第２のラチェット爪５２と残置用爪車５０との係止が解除される。
【００６０】
なお、リコイルリール１による始動ロープ３４の巻き戻しが開始していない状態では、ロック解除手段１２が第１の受動部２２を介してロック手段２１を押し上げている状態にあるため、ロック手段２１はロック解除位置に保持され、また、第２のラチェット爪５２は残置用爪車５０との係止を解除された係止解除姿勢をとり続けることになる。
【００６１】
この状態から、次に、始動ロープ３４の巻き戻し作動が開始される。すなわち、リコイルリール１はリール巻き戻し用うず巻きばね３５により始動ロープ３４を巻き戻す方向Ｙに回転し始める。このリコイルリール１の逆転により、リセット用主動部７２がリセット用従動部７３を駆動し、この駆動力が第２のねじりばね７８を介して第１のラチェット爪５１に伝達され、これを揺動起立させて、第１のラチェット爪５１と残置用爪車５０との係止が解除される。
【００６２】
この結果、計測用爪車１５は、初期位置付勢手段７１の付勢力により初期位置に回動復帰する。これに連動して、ロック解除手段１２も回動してロック手段２１の第１の受動部２２から離れる。この結果、下からの支持を失ったロック手段２１は、ロック位置付勢手段たる引っ張りばね４８のばね力（および自重）により一旦はロック位置に切り換えられるが、計測用爪車１５が初期位置に戻ると、ロック解除手段１２が第２の受動部２３を押動してロック手段２１は再びロック解除位置に切り換えられることになる。
【００６３】
なお、図３ないし図５および図８に示すように、第２の枢支軸５７には第３のねじりばね８０が巻回されている。この第３のねじりばね８０の一端は残置用爪車５０に係止され、その他端は解放端になっており、この解放端部は、計測用爪車１５が入力輪３の正転に従動して刻み送りされてゆく度に上昇して、ロック手段２１に下から当接する。そして、計測用爪車１５が目標巻き取り回数相当位置にあるときには、ロック手段２１を下から支持するようになっている。
【００６４】
この第３のねじりばね８０は、計測用爪車１５の初期位置への復帰に連動してロック手段２１がロック解除位置からロック位置へと切り換えられるときに、この切換動作に動作遅れを持たせるためのものである。すなわち、リコイルリール１の巻き戻し作動により第１のラチェット爪５１が揺動起立し、これにより計測用爪車１５は初期位置に回動復帰するが、この回動に連動して直ちにロック手段２１がロック位置に切り換えられるとすると、出力輪５の回転が十分に停止していない状態でロック手段２１がロック位置に切り換えられることも起こり得る。この結果、ロック手段２１とロック部２０とが衝突して、騒音や破損の原因となる。そこで、この第３のねじりばね８０を設けることによりロック手段２１のロック解除位置からロック位置への切り換えにタイムラグを持たせて、出力輪５の回転中にロック手段２１がロック位置に切り換えられないようにしたものである。なお、図６では、図面が過度に複雑になるのを避けるために、第３のねじりばね８０は省略されている。
【００６５】
以上説明した通常の始動操作とは別に、次のような状況が生じたとする。
いま、動作不良等の何らかの不具合により、ばね巻き取り回数計測手段１１の計数値が、現実に動力蓄積用うず巻きばね４を巻き取った回数よりも少ない値を示していたため、始動ロープ３４の引き操作により動力蓄積用うず巻きばね４が限界まで巻き取られたとする。動力蓄積用うず巻きばね４が限界まで巻き取られると、それ以上始動ロープ３４は引けなくなる。
【００６６】
このような場合に手動解除レバー９０を手動で解除位置Ｒに切り換えると、図７に示すように、ロック手段２１がロック解除位置に切り換えられ、限界近くまで巻き取られた動力蓄積用うずまきばねの蓄力が解放される。なお、このロック手段２１のロック解除位置への切り換えに連動して第２のラチェット爪５２が揺動起立し残置用爪車５０との係止が解除される。
【００６７】
この状態で始動ロープ３４を巻き戻すと、リコイルリール１の巻き戻し回転に連動して第１のラチェット爪５１も揺動起立し残置用爪車５０との係止を解除する。したがって、残置用爪車５０には第１のラチェット爪５１も第２のラチェット爪５２も係止していない状態となり、計測用爪車１５は初期位置付勢手段７１の付勢力で初期位置に復帰する。
【００６８】
このようにして、動力蓄積用うず巻きばね４に蓄えられた蓄力は解放される一方、ばね巻き取り回数計測手段１１は初期位置に回動復帰する。この結果、ばね巻き取り回数計測手段１１の目盛（計数値）と現実に動力蓄積用うず巻きばね４を巻き取った回数とを一致させることができる。
【００６９】
本実施形態では、手動解除レバー９０とロック手段２１とを別体に構成するとともに、手動解除レバー９０が非解除位置Ｄにあるときにはロック手段２１の動作と干渉しないようにしたので、通常の始動操作時には手動解除レバー９０を非解除位置Ｄにしておけば、ロック手段２１から手動解除レバー９０への動力伝達を遮断することができ、ロック手段２１の動作に連動して手動解除レバー９０が動くといった事態を避けることができる。
【００７０】
また、手動解除レバー９０をねじりばね９３によって非解除位置Ｄに付勢したので、手動解除レバー９０が不用意に解除位置Ｒに切り換えられて出力輪５のロックが解除されることを防止することができる。
【００７１】
さらに、本実施形態では、手動解除レバー９０が非解除位置Ｄにあるときには、たとえボルト３７を外してもスタータケース３３をステー３６から取り外せず、手動解除レバー９０を解除位置Ｒに切り換えたときにスタータケース３３をステー３６から取り外せるようにしたので、スタータケース３３を取り外す前には必ず蓄力が解放されていることになる。このため、メンテナンス時等の安全を確保できる。
【００７２】
本実施形態では、上述のように、逆回転防止手段８の各逆止用係合部４１が９０度の間隔を置いて配置されているためと、逆止用爪２５が入力輪３の回転中心に対して略点対称な位置に配置されているために、逆止用爪２５が係合面４１ｂと係合するまでには、入力輪３は最大で約９０度逆転し得る（図２参照）。このため、オペレータが始動ロープ３４の引き操作を途中で止めた場合には、入力輪３が最大で上記角度だけ逆転する場合もあり得る。しかし、本実施形態の送り爪１４は、入力輪３が逆転方向Ｙに回転するときには計測用爪車１５との当接により倒伏するように構成されているので、送り爪１４や計測用爪車１５に衝撃荷重がかかることを防止することができる。
【００７３】
以上、本発明の実施形態について説明したが、本発明は上記実施形態によって限定されるものではなく、発明の要旨の範囲内で適宜変更して実施することができる。例えば、入力輪３の逆回転防止手段８は上記構成に限られるものではなく、他の構成のラチェット機構やワンウェイクラッチ等を用いて構成してもよい。上記実施形態では、動力蓄積用弾性体４がうず巻きばねの場合について説明したが、蓄力可能な弾性体であればよく、例えば、ねじりばねであってもよい。上記実施形態の出力側一方向回転伝動手段６は遠心クラッチとして構成されていたが、これに限定されるものではなく、ドッグクラッチその他のものでもよい。上記実施形態では、送り爪１４を起伏自在に構成したが、可動部材としてではなく入力輪３に固定されていてもよい。上記実施形態における計測リセット手段７０は、リコイルリール１が始動ロープ３４を巻き戻す巻き戻し回転に基づいて、前記弾性体巻き取り回数計測手段１１を初期位置に戻すように構成されていたが、かかる構成に限定されるものではない。上記実施形態では、出力輪５に４つの凹部が設けられていたが、４つに限られるものではなく、また、閉塞部材２６で塞ぐ個所やその個数も実施例のものに限定されるわけではない。上記実施形態では、計測用爪車１５が初期位置から爪一つ分刻み送りされたときに出力輪５がロックされるように構成したが、計測用爪車１５が爪二つ以上刻み送りされたときに出力輪５がロックされるように構成してもよく、また、ロック手段２１の構成から第２の受動部２３を省略して、計測用爪車１５が初期位置にあるときにはロック手段２１がロック位置にあるように構成してもよい。さらに、上記実施形態では、単一のロック解除手段１２によって、第１の受動部２２または第２の受動部２３が駆動されてロック手段２１をロック位置からロック解除位置に切り換えるように構成されていたが、第１の受動部２２と第２の受動部２３とがそれぞれ別の部材によって駆動されるように構成してもよい。上記実施形態のラチェット機構４９は第１のラチェット爪５１と第２のラチェット爪５２を備えていたが、第１のラチェット爪５１のみを備えるようにしてもよい。上記実施形態では、手動解除レバー９０がロック手段２１と別体に構成されていたが、ロック手段２１と一体に構成してもよい。また、上記実施形態では、手動解除レバー９０がロック手段２１に直接当接してこれを駆動するように構成されていたが、両者の間に他の部材を介在させて間接的にロック手段２１をロック解除位置に切り換えるように構成してもよい。上記実施形態では、手動解除レバー９０の切換位置を解除位置Ｒと非解除位置Ｄの２つとしたが、３つ以上の位置の間で切り換えられるようにしてもよい。
【図面の簡単な説明】
【図１】本発明の実施形態の縦断正面図である。
【図２】図２（Ａ）は図１のＩＩ−ＩＩ線矢視断面図、図２（Ｂ）は図２（Ａ）におけるＢ−Ｂ線矢視断面図である。
【図３】図１のＩＩＩ−ＩＩＩ線矢視断面図であり、ばね巻き取り回数計測手段が初期位置にある状態を示す。
【図４】図３からロック手段２１を取り除いた図である。
【図５】図４から第２のラチェット爪５２を取り除いた図である。
【図６】図３の状態から始動ロープ３４を引いて計測用爪車１５を爪一つ分刻み送りした状態を示す図である。
【図７】手動解除レバー９０が解除位置Ｒにあるときの状態を示す図である。
【図８】図３におけるＶＩＩＩ−ＶＩＩＩ線矢視断面図である。
【図９】図３におけるＩＸ−ＩＸ線矢視断面図である。
【図１０】図３におけるＸ−Ｘ線矢視拡大図である。
【図１１】スタータケース３３をステー３６（エンジン機体）から取り外す際の手動解除レバー９０の動きを説明するための図である。
【図１２】図１２（Ａ）は入力輪３の正面図、図１２（Ｂ）は図１２（Ａ）におけるＢ−Ｂ線矢視断面図である。
【図１３】図１３（Ａ）は、ばね巻き取り回数計測手段１１をエンジン側から見た図である（但し、ロック手段２１と第１のラチェット爪５１は省略してある）。図１３（Ｂ）は図１３（Ａ）の要部を示し、送り爪１４の動きを示す図である。
【符号の説明】
１…リコイルリール、２…入力側一方向回転伝動手段、３…入力輪、４…動力蓄積用弾性体（うず巻きばね）、５…出力輪、６…出力側一方向回転伝動手段、７…始動軸（クランク軸）、８…逆回転防止手段、１０…ロック機構、１１…弾性体巻き取り回数計測手段（ばね巻き取り回数計測手段）、１２…ロック解除手段、３０…エンジン機体（ファンケース）、３３…スタータケース、３４…始動ロープ、７０…計測リセット手段、９０…手動解除レバー、９３…ばね（ねじりばね）、９４…取り外し規制部（切り込み部）、Ｒ…解除位置、Ｄ…非解除位置。
【図１】
2004116501.tif 000003
【図２】
2004116501.tif 000004
【図３】
2004116501.tif 000005
【図４】
2004116501.tif 000006
【図５】
2004116501.tif 000007
【図６】
2004116501.tif 000008
【図７】
2004116501.tif 000009
【図８】
2004116501.tif 000010
【図９】
2004116501.tif 000011
【図１０】
2004116501.tif 000012
【図１１】
2004116501.tif 000013
【図１２】
2004116501.tif 000014
【図１３】
2004116501.tif 000015